(57)【特許請求の範囲】
【請求項１】
長手方向一端が固定側に取り付けられ、他端が可動側に取り付けられたフレキシブルケーブルの配線ガイドを用いた固定ガイド構造であって、
前記フレキシブルケーブルをその幅方向中心線を境として横断面Ｖ字状に折り曲げ、一側部の上端又は下端のいずれかが切り欠かれた切欠部を有する筒状部材で前記配線ガイドを構成し、前記横断面Ｖ字状に折り曲げられた前記フレキシブルケーブルの幅方向一端縁が係合可能なコーナー部を前記一側部において前記切欠部とは反対側の端部に設けたことを特徴とするフレキシブルケーブルの固定ガイド構造。
【請求項２】
前記フレキシブルケーブルをその幅方向中心線を境として谷折りに折り曲げられた場合に前記切欠部は前記一側部の下端に設けられ、前記フレキシブルケーブルをその幅方向中心線を境として山折りに折り曲げられた場合に前記切欠部は前記一側部の上端に設けられることを特徴とする請求項１記載のフレキシブルケーブルの固定ガイド構造。
【請求項３】
請求項１又は２の何れかに記載のフレキシブルケーブルの固定ガイド構造を備えることを特徴とする画像形成装置。
【発明の詳細な説明】
【技術分野】
【０００１】
本発明は、画像形成装置等に使用されるフレキシブルケーブルの固定ガイド構造に関するものである。
【背景技術】
【０００２】
配線部材の１つとしてフレキシブルケーブル（以下、「ＦＦＣ」と称する）が知られて折り、このＦＦＣは従来から画像形成装置等の各種電子機器内における配線の手段として多く用いられている。ＦＦＣは、銅泊等から成る細帯状の複数の導体（信号線）をプラスチック等から成る薄い可撓性絶縁フィルムで被覆して構成されており、その最大の特長は折り曲げたり捩ったりして配線することができる点である。
【０００３】
ところで、複合機等の画像形成装置においても、画像読取装置（スキャナ）の光源であるランプを走査させながら原稿を読み取る場合にランプへの信号供給手段としてＦＦＣが使用されている。特に、昨今は画像読取装置に使用される光源には省エネルギーや環境への配慮から白色ＬＥＤが使用されつつあるが、ＬＥＤランプは従来のキセノンランプに比べて複数の制御信号を受ける必要があるため、ＦＦＣによる配線が専ら使用されている。
【０００４】
ここで、画像形成装置の画像読取装置におけるＦＦＣの固定ガイド構造の従来例を図７（ａ）〜（ｄ）及び図８に示す。
【０００５】
図７（ａ）〜（ｄ）は画像読取時のＦＦＣの動作を示す側断面図、図８は図７（ａ）のＣ−Ｃ線断面図であり、画像読取装置１３０の内部には光源であるＬＥＤランプ１３４が移動可能に収容されており、このＬＥＤランプ１３４にはＦＦＣ１３７の一端が接続されている。そして、ＦＦＣ１３７は、ＬＥＤランプ１３４から横Ｕ字状に折り曲げられて画像読取装置１３０内の底部を横方向に延びて不図示の制御基板に接続されており、その一部は図８に示す横断面Ｌ字状の配線ガイド１３９によってクランプされている。
【０００６】
而して、画像読取開始前に図７（ａ）に示すホームポジションに待機しているＬＥＤランプ１３４は、画像の読み取りが開始されると図７（ｂ），（ｃ）に示すように矢印方向に移動しながら不図示の原稿を露光走査し、このＬＥＤランプ１３４の移動に伴ってＦＦＣ１３７は撓曲しながら制御信号をＬＥＤランプ１３４に送信する。
【０００７】
ところで、特許文献１には、組立時やサービスマンの基板交換時の作業性改善するために、ＦＦＣを折り曲げ、その折り曲げ部をＦＦＣクランプに引っ掛ける構成が提案されている。
【先行技術文献】
【特許文献】
【０００８】
【特許文献１】特開２００６−２３６８１２号公報
【発明の概要】
【発明が解決しようとする課題】
【０００９】
ところが、図７及び図８に示す従来のＦＦＣ１３７の固定ガイド構造によれば、ＦＦＣ１３７が配線クランプ１３９から外れ、その外れた部分が図７（ｄ）に示すように屈曲し、移動するＬＥＤランプ１３４に接触して破損するという問題が発生する。
【００１０】
上記問題を解決するため手法としては、ＦＦＣを粘着テープによって固定する方法、ＦＦＣを筒状の配線ガイドに通す方法、ＦＦＣを配線した後に該ＦＦＣを固定するための別部材を取り付ける方法等が考えられるが、これらの方法には以下のような問題がある。
【００１１】
即ち、ＦＦＣを粘着テープによって固定する方法では、ＦＦＣを粘着テープによって一旦固定すると、該ＦＦＣの交換性が悪くなる。又、ＦＦＣを筒状の配線ガイドに通す方法では、組立作業性が悪くなり、ＦＦＣを配線した後に該ＦＦＣを固定するための別部材を取り付ける方法では、部品点数が増える他、ＦＦＣの交換性が悪くなる。
【００１２】
本発明は上記問題に鑑みてなされたもので、その目的とする処は、高い交換性や組立作業性を確保しつつ、フレキシブルケーブルの配線ガイドからの外れを防いでその損傷を防ぐことができるフレキシブルケーブルの固定ガイド構造を提供することにある。
【課題を解決するための手段】
【００１３】
上記目的を達成するため、請求項１記載の発明は、長手方向一端が固定側に取り付けられ、他端が可動側に取り付けられたフレキシブルケーブルの配線ガイドを用いた固定ガイド構造として、前記フレキシブルケーブルをその幅方向中心線を境として横断面Ｖ字状に折り曲げ、一側部の上端又は下端のいずれかが切り欠かれた切欠部を有する筒状部材で前記配線ガイドを構成し、前記横断面Ｖ字状に折り曲げられた前記フレキシブルケーブルの幅方向一端縁が係合可能なコーナー部を前記一側部において前記切欠部とは反対側の端部に設けたことを特徴とする。
【００１４】
請求項２記載の発明は、請求項１記載の発明において、前記フレキシブルケーブルをその幅方向中心線を境として谷折りに折り曲げられた場合に前記切欠部は前記一側部の下端に設けられ、前記フレキシブルケーブルをその幅方向中心線を境として山折りに折り曲げられた場合に前記切欠部は前記一側部の上端に設けられることを特徴とする。
【００１５】
【００１６】
請求項３記載の画像形成装置は、請求項１又は２の何れかに記載のフレキシブルケーブルの固定ガイド構造を備えることを特徴とする。
【発明の効果】
【００１７】
本発明によれば、フレキシブルケーブルをその幅方向中心線を境として横断面Ｖ字状に折り曲げ、その幅方向一端縁を配線ガイドに係合させたため、フレキシブルケーブルの配設ガイドからの外れが防がれ、外れた部分が可動部に接触して損傷する等の不具合の発生が防がれる。
【００１８】
又、配線ガイドを一部が切り欠かれた筒状部材で構成したため、該配線ガイドの切欠部からフレキシブルケーブルを容易に出し入れすることができ、該フレキシブルケーブルの交換性や組立作業性が高められる。
【図面の簡単な説明】
【００１９】
【図１】本発明に係る画像形成装置（カラー複合機）の断面図である。
【図２】本発明の実施の形態１に係るフレキシブルケーブルの固定ガイド構造を備えた画像読取装置の斜視図である。
【図３】本発明の実施の形態１に係るフレキシブルケーブルの固定ガイド構造を示す部分斜視図である。
【図４】図３のＡ−Ａ線断面図である。
【図５】本発明の実施の形態２に係るフレキシブルケーブルの固定ガイド構造を示す部分斜視図である。
【図６】図５のＢ−Ｂ線断面図である。
【図７】（ａ）〜（ｄ）は従来のフレキシブルケーブルの固定ガイド構造を備えた画像読取装置の画像読取時のフレキシブルケーブルの動作を示す側断面図である。
【図８】図７（ａ）のＣ−Ｃ線断面図である。
【発明を実施するための形態】
【００２０】
以下に本発明の実施の形態を添付図面に基づいて説明する。
【００２１】
本実施の形態は本発明を図１に示すカラー複合機の画像読取装置に適用したものであり、以下、カラー複合機の構成と作用について説明する。
【００２２】
図１はカラー複合機の断面図であり、図示のカラー複合機は、複写機能とプリンタ機能及びファクシミリ機能を備えており、その矩形ボックス状の装置本体１００の上部には画像読取装置３０が配置され、その上部には自動原稿搬送装置（ＡＤＦ）が設けられている。そして、装置本体１００と画像読取装置３０との間には手前に向かって開口する排紙トレイ２０が設けられている。
【００２３】
次に、上記装置本体１００の内部構造について以下に説明する。
【００２４】
装置本体１００内の中央には、マゼンタ画像形成ユニット１Ｍ、シアン画像形成ユニット１Ｃ、イエロー画像形成ユニット１Ｙ及びブラック画像形成ユニツト１Ｙが一定の間隔で前後方向（図１の左右方向）にタンデムに配置されている。
【００２５】
上記各画像形成ユニツト１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、１次転写ローラ５ａ，５ｂ，５ｃ，５ｄ及びドラムクリーニング装置６ａ，６ｂ，６ｃ，６ｄがそれぞれ配置されている。
【００２６】
ここで、前記感光ドラム２ａ〜２ｄは、ドラム状の感光体であって、不図示の駆動モータによって図示矢印方向（時計方向）に所定のプロセイスピードで回転駆動される。又、前記帯電器３ａ〜３ｄは、これらに印加される帯電電圧によって各感光ドラム２ａ〜２ｄの表面をそれぞれ所定の電位に均一に帯電させるものである。
【００２７】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容されており、各感光ドラム２ａ〜２ｄ上に形成された各静電潜像に各色のトナーを付着させて各静電潜像を各色のトナー像として可視像化するものである。
【００２８】
又、前記１次転写ローラ５ａ〜５ｄは、各１次転写部にて中間転写体である無端状の中間転写ベルト７を介して各感光ドラム２ａ〜２ｄに当接可能に配置されている。ここで、中間転写ベルト７は、奥側に配された駆動ローラ８と前側に配されたテンションローラ９との間に前後方向に張設されており、この中間転写ベルト７の下方に前記各感光ドラム２ａ〜２ｄが前後方向に沿ってタンデムに配置されている。そして、前記駆動ローラ８は、２次転写部において中間転写ベルト７を介して２次転写ローラ１０に当接可能に配置されており、テンションローラ９の近傍にはベルトクリーニング装置１１が設けられている。
【００２９】
更に、装置本体１００内の各画像形成ユニット１Ｍ，１Ｃ，１Ｙ，１Ｋの下方にはレーザースキャナユニット（ＬＳＵ）１２が配置され、その下方の装置本体１００の底部には給紙カセット１３が着脱可能に配置されている。そして、給紙カセット１３には複数枚の不図示の用紙が積層収容されており、この給紙カセット１３の近傍には、給紙カセット１３から用紙を取り出すピックアップローラ１４と、取り出された用紙を分離して搬送路Ｓ１へと１枚ずつ送り出すフィードローラ１５とリタードローラ１６が設けられている。
【００３０】
他方、装置本体１００内の中間転写ベルト７の上方には、前記各現像装置４ａ〜４ｄに補給するためのマゼンタ、シアン、イエロー及びブラックの各トナーをそれぞれ収容したトナーコンテナ１７ａ，１７ｂ，１７ｃ，１７ｄが前後方向に沿って配置されている。
【００３１】
ところで、前記搬送路Ｓ１は装置本体１００の奥側に略垂直に配置されており、その奥側には、用紙の両面に画像を形成する場合に使用される別の搬送路Ｓ２が略垂直に配置されている。そして、これらの搬送路Ｓ１，Ｓ２同士は上下で互いに連通しており、上部において両搬送路Ｓ１，Ｓ２が連通する箇所にフラッパ１８が回動可能に設けられている。
【００３２】
ここで、上記搬送路Ｓ１には、前記給紙カセット１３から供給される用紙を一時待機させた後に所定のタイミングで前記２時転写ローラ１０と中間転写ベルト７との当接部出ある２次転写部へと供給するレジストローラ対１９が設けられている。そして、搬送路Ｓ１の２次転写部から前記排紙トレイ２０へと上方に延びる部分には定着装置２１と搬送ローラ対２２及び排紙ローラ対２３がそれぞれ設けられている。又、両面に画像を形成する際に使用される搬送路Ｓ２には複数の反転ローラ対２４が適当な間隔で設けられている。
【００３３】
又、装置本体１００の前面には、手差しトレイ２５が開閉可能に設けられており、該手差しトレイ２５からは搬送路Ｓ３が奥側に向かって略水平に延びており、その端部は前記搬送路Ｓ１に合流している。そして、搬送路Ｓ３にはフィードローラ２６と複数の搬送ローラ２７が設けられている。
【００３４】
次に、以上の構成を有するカラー複合機の画像形成動作について説明する。
【００３５】
画像形成動作信号が発せられると、例えば自動原稿搬送装置５０によって画像読取装置３０の原稿載置台上に送られた原稿は、画像読取装置３０によって読み取られ、読み取られた画像データはレーザースキャナユニット１２のメモリに記憶される。
【００３６】
他方、各画像形成ユニット１Ｍ，１Ｃ，１Ｙ，１Ｋにおいて各感光ドラム２ａ〜２ｄが図示矢印方向（時計方向）に所定のプロセススピードで回転駆動され、これらの感光ドラム２ａ〜２ｄは、帯電器３ａ〜３ｄによって一様に帯電される。又、レーザースキャナユニット１２は、メモリに記憶された画像データに基づいて各色毎のカラー画像信号によって変調されたレーザー光を出射し、そのレーザー光を各感光ドラム２ａ〜２ｄの表面に照射し、各感光ドラム２ａ〜２ｄ上に各色のカラー画像信号に対応した静電潜像をそれぞれ形成する。
【００３７】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の１次転写部（転写ニップ部）において、トナーと逆極性の１次転写バイアスが印加された転写ローラ５ａの作用によって、図示矢印方向に回転駆動されている中間転写ベルト７上に１次転写される。
【００３８】
上述のようにしてマゼンタトナー像が１次転写された中間転写ベルト７は、次のシアン画像形成ユニット１Ｃへと移動する。そして、シアン画像形成ユニット１Ｃにおいても、前記と同様にして感光ドラム２ｂ上に形成されたシアントナー像が１次転写部において中間転写ベルト７上のマゼンタトナー像に重ねて転写される。
【００３９】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各１次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａへ２ｄは次の画像形成に備えられる。
【００４０】
そして、中間転写ベルト７上のフルカラートナー像の先端が中間転写ベルト７と２次転写ローラ１０の間の２次転写部（転写ニップ部）に達するタイミングに合わせて、給紙カセット１３からピックアップローラ１４とフィードローラ１５及びリタードローラ１６によって搬送路Ｓ１へと送り出された用紙がレジストローラ対１９によって２次転写部へと搬送される。そして、２次転写部へと搬送された用紙に、トナーと逆極性の２次転写バイアスが印加された２次転写ローラ１０によってフルカラートナー像が中間転写ベルト７から一括して２次転写される。
【００４１】
而して、フルカラートナー像が転写された用紙は、定着装置２１へと搬送され、フルカラートナー像が加熱及び加圧されて用紙の表面に定着され、フルカラートナー像が定着された用紙は、搬送ローラ対２２と排紙ローラ対２３によって排紙トレイ２０上に奥側から手前側に向かって排出されて一連の画像形成動作が完了する。尚、用紙上に転写されないで中間転写ベルト７上に残留する転写残トナーは、ベルトクリーニング装置１１によって除去され、転写残トナーが除去された中間転写ベルト７は次の画像形成に備えられる。又、このように用紙の片面に画像を形成する場合には、フラッパ１８は図１に実線にて示す位置にある。
【００４２】
以上はカセット給紙による画像形成動作であるが、手差しによって用紙に画像を形成する場合には、図１に示すように手差しトレイ２５を開き、この開かれた手座とトレイ２５から用紙を供給する。すると、用紙は、フィードローラ２６によって搬送路Ｓ３へと送り出され、複数の搬送ローラ対２７によって搬送路Ｓ３を奥側に向かって搬送されて搬送路Ｓ１へと受け渡され、以後は前記と同様のプロセスを経て片面に画像が形成される。
【００４３】
又、用紙の両面に画像を形成する場合には、前記プロセスを経て片面に画像が形成された用紙が排紙トレイ２０に排出される直前においてフラッパ１８を図１に破線にて示すように切り替えられるとともに、排紙ローラ対２３が逆転されて用紙が搬送路Ｓ２へとスイッチバックされる。そして、この用紙は反転ローラ対２４によって搬送路Ｓ２を下方に向かって搬送されて搬送路Ｓ１へと受け渡され、その後は前記と同様のプロセスを経て反対の面（裏面）にも画像が形成され、両面に画像が形成された用紙は、排紙ローラ対２３によって排紙トレイ２０に奥側から手前側に向かって排出される。尚、このとき、フラッパ１８は図１に実線にて示す位置にも戻されている。
【００４４】
次に、前記画像読取装置３０において適用された本発明に係るＦＦＣ（フレキシブルケーブル）の固定ガイド構造の実施の形態について説明する。
【００４５】
＜実施の形態１＞
図２は本発明の実施の形態１に係るフレキシブルケーブルの固定ガイド構造を備えた画像読取装置の斜視図、図３は同フレキシブルケーブルの固定ガイド構造を示す部分斜視図、図４は図３のＡ−Ａ線断面図である。
【００４６】
図２に示すように、画像読取装置３０は、筐体を構成する箱状構造体である光学フレーム３１を備えており、この光学フレーム３１の上面には透明なコンタクトガラス３２が設けられている。そして、光学フレーム３１には、コンタクトガラス３２をこれに載置された不図示の原稿の上から覆う開閉カバー３３が開閉可能に設けられている。
【００４７】
又、光学フレーム３１の内部には、光源であるＬＥＤランプ３４、結像レンズ３５、撮像素子であるＣＣＤ３６等が収容されている。ここで、ＬＥＤランプ３４は、コンタクトガラス３２上に載置された原稿に光を照射しながら不図示のガイドレールに沿って副走査方向（図２の左右方向）に移動することによって原稿を露光走査するものであって、これにはＦＦＣ３７の一端が接続されている。
【００４８】
上記ＦＦＣ３７は、銅泊等から成る細帯状の複数の導体（信号線）をプラスチック等から成る薄い可撓性絶縁フィルムで被覆して構成されており、ＬＥＤランプ３４から横Ｕ字状に折り曲げられて光学フレーム３１内の底部を横方向に延び、その他端は制御基板３８に接続されている。そして、ＦＦＣ３７の一部は、光学フレーム３１内の底部に設けられたフック状の配線ガイド３９によってクランプされている。
【００４９】
而して、ＬＥＤランプ３４がコンタクトガラス３２上に載置された原稿に光を照射しながら副走査方向に移動することによって原稿を露光走査すると、原稿からの反射光は、不図示の反射ミラーによって反射された後に結像レンズ３５を通過することによって収束し、ＣＣＤ３６上に結像されて該ＣＣＤ３６によって原稿像が読み取られる。そして、ＣＣＤ３６によって読み取られた画像データは、前述のようにレーザースキャナユニット１２（図１参照）のメモリに記憶される。
【００５０】
上述のようにして原稿が読み取られると、ＬＥＤランプ３４は光学フレーム３１内を逆方向に移動して図２に示すホームポジションに戻り、原稿の読取動作毎にＬＥＤランプ３４が副走査方向に往復移動するが、このとき、該ＬＥＤランプ３４に一端が接続されたＦＦＣ３７は撓曲しながら制御信号をＬＥＤランプ３４に送信する。
【００５１】
ところで、フック状の前記配線ガイド３９は、図３及び図４に示すように、一側部の下端がスリット状に切り欠かれた矩形筒部材として構成されており、その切欠部３９ａからＦＦＣ３７を通すことによって該ＦＦＣ３７が配線ガイド３９によってクランプされている。
【００５２】
而して、本実施の形態では、ＦＦＣ３７の少なくとも配線ガイド３９に沿って摺動する部分は、その幅方向中心線を境として谷折りされて横断面Ｖ字状に折り曲げられており、その幅方向一端縁３７ａは配線ガイド３９のコーナー部３９ｂに係合可能とされている。
【００５３】
従って、本実施の形態によれば、ＬＥＤランプ３４に一端が接続されたＦＦＣ３７が画像読取動作によって撓曲し、その一部が配線ガイド３９内を摺動する場合、該ＦＦＣ３７が横方向にずれても、横断面Ｖ字状に折り曲げられたＦＦＣ３７はその幅方向一端縁３７ａが配線ガイド３９のコーナー部３９ｂに係合する。このため、ＦＦＣ３７の配設ガイド３９からの外れ（配線ガイド３９の切欠部３９ａからの抜け）が防がれ、従来のように外れた部分が可動部であるＬＥＤランプ３４に接触して損傷する等の不具合が発生することがない。
【００５４】
又、本実施の形態では、配線ガイド３９を一部が切り欠かれた矩形筒部材として構成したため、該配線ガイド３９の切欠部３９ａからＦＦＣ３７を容易に出し入れすることができ、該ＦＦＣ３７の交換性や組立作業性が高められるという効果が得られる。
【００５５】
＜実施の形態２＞
次に、本発明の実施の形態２を図５及び図６に基づいて説明する。尚、図４は本発明の実施の形態２に係るフレキシブルケーブルの固定ガイド構造を示す部分斜視図、図６は図５のＢ−Ｂ線断面図である。
【００５６】
本実施の形態では、配線ガイド３９は、一側部の上端がスリット状に切り欠かれた矩形筒部材として構成されており、その切欠部３９ａからＦＦＣ３７を通すことによって該ＦＦＣ３７が配線ガイド３９によってクランプされている。
【００５７】
又、本実施の形態では、ＦＦＣ３７の少なくとも配線ガイド３９に沿って摺動する部分は、その幅方向中心線を境として山折りされて横断面逆Ｖ字状に折り曲げられており、その幅方向一端縁３７ａは配線ガイド３９のコーナー部３９ｃに係合可能とされている。
【００５８】
従って、本実施の形態によれば、ＬＥＤランプ３４に一端が接続されたＦＦＣ３７が画像読取動作によって撓曲し、その一部が配線クランプ３７内を摺動する場合、該ＦＦＣ３７が横方向にずれても、横断面Ｖ字状に折り曲げられたＦＦＣ３７はその幅方向一端縁３７ａが配線ガイド３９のコーナー部３９ｃに係合するため、ＦＦＣ３７の配設ガイド３９からの外れ（配線ガイド３９の切欠部３９ａからの抜け）が防がれ、該ＦＦＣ３７がＬＥＤランプ３４に接触して損傷する等の不具合が発生することがない。
【００５９】
又、本実施の形態においても、配線ガイド３７を一部が切り欠かれた矩形筒部材として構成したため、該配線ガイド３９の切欠部３９ａからＦＦＣ３７を容易に出し入れすることができ、該ＦＦＣ３７の交換性や組立作業性が高められるという効果が得られる。
【００６０】
尚、以上は本発明をカラー複合機の画像読取装置に対して適用した形態について説明したが、本発明は、他の機器におけるフレキシブルケーブルの固定ガイド構造に対しても同様に適用可能であることは勿論である。
【符号の説明】
【００６１】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム
３ａ〜３ｄ      帯電器
４ａ〜４ｄ      現像装置
５ａ〜５ｄ      転写ローラ
６ａ〜６ｄ      ドラムクリーニング装置
７              中間転写ベルト
８              駆動ローラ
９              テンションローラ
１０            ２次転写ローラ
１１            ベルトクリーニング装置
１２            レーザースキャナユニット（ＬＳＵ）
１３            給紙カセット
１４            ピックアップローラ
１５            フィードローラ
１６            リタードローラ
１７ａ〜１７ｄ  トナーコンテナ
１８            フラッパ
１９            レジストローラ対
２０            排紙トレイ
２１            定着装置
２２            搬送ローラ対
２３            排紙ローラ対
２４            反転ローラ対
２５            手差しトレイ
２６            フィードローラ
２７            搬送ローラ対
３０            画像読取装置
３１            光学フレーム
３２            コンタクトガラス
３３            開閉カバー
３４            ＬＥＤランプ（光源）
３５            結像レンズ
３６            ＣＣＤ
３７            フレキシブルケーブル（ＦＦＣ）
３７ａ          フレキシブルケーブルの幅方向一端縁
３８            制御基板
３９            配線ガイド
３９ａ          配線ガイドの切欠部
３９ｂ，３９ｃ  配線ガイドのコーナー部
５０            自動原稿搬送装置（ＡＤＦ）
１００          画像形成装置本体
Ｓ１〜Ｓ３      搬送路
【図１】
0005544276.tif 000002
【図２】
0005544276.tif 000003
【図３】
0005544276.tif 000004
【図４】
0005544276.tif 000005
【図５】
0005544276.tif 000006
【図６】
0005544276.tif 000007
【図７】
0005544276.tif 000008
【図８】
0005544276.tif 000009